(57)【要約】【課題】節電することができ、且つ視聴者の目の疲れを和らげることができる画像表示装置を提供する。【解決手段】バックライトユニット2は、基板3上に複数の発光ダイオード4、4を上下左右に配列し、該発光ダイオード4、4は基板3上の左右中央部にて密に配置され、少なくとも左右端部にて粗に配置されている。また、発光ダイオード4、4は基板3上の上下中央部にて密に配置され、上下端部にて粗に配置されていてもよい。発光ダイオード4、4は駆動回路20に繋がって該駆動回路20から給電され、基板3上の左右中央部に配置された発光ダイオード4、4には、基板3上の左右端部に配置された発光ダイオード4、4よりも大きな駆動電流が給電される。【選択図】図２
2008304502.tif 000002
【特許請求の範囲】
【請求項１】
基板(３)上に複数の発光素子を上下左右に配列し、該発光素子は基板(３)上の左右中央部にて密に配置され、少なくとも左右端部にて粗に配置されたことを特徴とするバックライトユニット。
【請求項２】
発光素子は基板(３)上の上下中央部にて密に配置され、上下端部にて粗に配置されている、請求項１に記載のバックライトユニット。
【請求項３】
発光素子は駆動回路(20)に繋がって該駆動回路(20)から給電され、基板(３)上の左右中央部に配置された発光素子には、基板(３)上の左右端部に配置された発光素子よりも大きな駆動電流が給電される、請求項１又は２に記載のバックライトユニット。
【請求項４】
基板(３)上の上下中央部に配置された発光素子には、基板(３)上の上下端部に配置された発光素子よりも大きな駆動電流が給電される、請求項２に記載のバックライトユニット。
【請求項５】
請求項１乃至４の何れかに記載のバックライトユニットを用いた画像表示装置。
【発明の詳細な説明】
【技術分野】
【０００１】
本発明は、液晶パネル用バックライトユニット及び該バックライトユニットを用いた画像表示装置に関し、具体的には発光ダイオードを用いたバックライトユニットで照射される液晶表示装置に関する。
【背景技術】
【０００２】
従来から、液晶パネルに画像を表示させる液晶表示装置が知られており、該液晶表示装置はバックライトユニットにて液晶パネルの表示面の反対側から液晶パネルを照射する。このバックライトユニットには、冷陰極管を用いたものがある。
図４は、従来の冷陰極管(25)を用いたバックライトユニット(２)と、該バックライトユニット(２)に照射される液晶パネル(５)の斜視図である(特許文献１参照)。該バックライトユニット(２)は基板(３)上に導光板(35)と、該導光板(35)の上下端部にて横向きに配備された冷陰極管(25)(25)とによって構成される。冷陰極管(25)(25)から放射された光は、導光板(35)内にて多重反射されて導光板(35)の前面から出射する。該光が液晶パネル(５)を照射し、斯種の構造は一般に小型の液晶表示装置に用いられることが多い。
冷陰極管(25)は水銀ランプの一種であり、縦向きに配備すると、内部の水銀が重力の影響を受けることや、冷陰極管(25)の上下端部に温度差が発生し易くなり、冷陰極管(25)の寿命に悪影響を及ぼすから、一般的に横向きに配備している。
大型の液晶表示装置用のバックライトユニット(２)としては、図５に示すように、基板(３)上に複数本の冷陰極管(25)(25)を上下等間隔に配備したものが用いられることが多い。
【０００３】
図４及び図５のように、冷陰極管(25)を用いたバックライトユニット(２)では画面の上下で冷陰極管(25)(25)の配置密度に故意にバラ付きを持たせたり、上下中央部の冷陰極管(25)と上下端部の冷陰極管(25)の駆動電流に差を設けて、画面の上下に亘って輝度差を設けることはできる。しかし、画面の左右方向の中央部と左右端部とで輝度差を設けることはできない。
また、斯種のバックライトユニット(２)には、図６に示すように、冷陰極管(25)に代えて、多数の発光素子である発光ダイオード(４)(４)を基板(３)上に縦横に等間隔に配列して、液晶パネル(５)を一様な輝度に照射するものもある(特許文献２参照)。
【０００４】
【特許文献１】特開２００３−１９５２９５号公報
【特許文献２】特開平８−２１１３６１号公報
【発明の開示】
【発明が解決しようとする課題】
【０００５】
液晶表示装置は、電子看板等の特殊用途を除き、横長に画像を表示するのに用いられるのが殆どである。特に、テレビジョン受像機として利用される場合は、画面が横長に設置されて、視聴者の視線は画面中央部に集中するのが一般的である。出願人はこの点に鑑みて、画面の横方向中央部の輝度を上げ、周辺部の輝度を下げれば、視聴者の目の疲れを和らげることができ、且つ節電することもできることを着想した。
本発明の目的は、節電することができ、且つ視聴者の目の疲れを和らげることができる画像表示装置を提供することにある。
【課題を解決するための手段】
【０００６】
バックライトユニット(２)は、基板(３)上に複数の発光素子を上下左右に配列し、該発光素子は基板(３)上の左右中央部にて密に配置され、少なくとも左右端部にて粗に配置されている。
【発明の効果】
【０００７】
上記の如く、発光素子を配列することにより、画面の左右方向の中央部の輝度を高く、左右端部の輝度を低くすることができる。これにより、視聴者の視線が集中する画面の横方向中央部の輝度を集中的に上げることができ、視聴者の目の疲れを和らげることができる。また、画面の左右方向中央部に集中的に発光素子を配備すれば、基板(３)の全体に用いられる発光素子の総数を減らすこともでき、これによって、節電することもできる。
【発明を実施するための最良の形態】
【０００８】
以下、本発明の一実施例を図を用いて詳述する。
(第１実施例)
図１は、本例に係わる画像表示装置(１)のブロック図である。従来と同様に、液晶パネル(５)は背面からバックライトユニット(２)によって照射され、該バックライトユニット(２)は電源(６)からバックライト駆動回路(20)を介して給電される。バックライト駆動回路(20)は、バックライトユニット(２)に供給する駆動電流を制御する。電源(６)は液晶パネル(５)にも給電し、外部からの映像信号はタイミング制御回路(60)を介して、液晶パネルドライバ(50)に供給され、該液晶パネルドライバ(50)は液晶パネル(５)上にＸ、Ｙ方向に多数配列された液晶セルに給電して、液晶パネル(５)に映像が表示される。
【０００９】
図２は、バックライトユニット(２)の正面図である。以下では、発光素子として発光ダイオード(４)を挙げるが、これに限定されない。バックライトユニット(２)は基板(３)上に多数の発光ダイオード(４)(４)を縦横に配列して構成され、基板(３)は画面に対応して、横長に形成される。即ち、基板(３)の縦横は、画面の縦横に対応している。発光ダイオード(４)は白色ダイオードであっても、Ｒ、Ｇ、Ｂに対応したダイオードの組み合わせであってもよい。
本例では、基板(３)の左右中央部に発光ダイオード(４)(４)を密に配置し、左右端部で粗に配置した点に特徴がある。ここで密とは密度が高いの意味であり、単位面積当たりの発光ダイオード(４)(４)の数が多いことを指す。また、粗とは密度が低いの意味であり、単位面積当たりの発光ダイオード(４)(４)の数が少ないことを指す。また、各発光ダイオード(４)への供給電流は略均一のレベルとする。
図２の如く、発光ダイオード(４)(４)を配列することにより、画面の左右方向の中央部の輝度を高く、左右端部の輝度を低くすることができる。これにより、視聴者の視線が集中する画面の横方向中央部の輝度を集中的に上げることができ、視聴者の目の疲れを和らげることができる。また、画面の左右方向中央部に集中的に発光ダイオード(４)(４)を配備すれば、基板(３)の全体に用いられる発光ダイオード(４)の総数を減らすことができ、これによって、節電することもできる。更に、一般に発光ダイオード(４)は駆動電流が大きくなると、寿命が短くなるが、本例では各発光ダイオード(４)への供給電流は略均一レベルであるから、各発光ダイオード(４)の寿命に差異はない。
【００１０】
(第２実施例)
図３は、別のバックライトユニット(２)の正面図である。本例では、横方向のみならず、上下(縦)方向にも、発光ダイオード(４)の配列に粗密を設けている。具体的には、基板(３)の左右方向及び上下方向中央部に、発光ダイオード(４)(４)を密に配置し、上下端部を含む周辺部で粗に配置している。これによっても、第１実施例と同様に、視聴者の目の疲れを和らげることができるとともに、節電することもできる。
また、第１実施例に於いて、基板(３)上に密に配列された左右方向中央部の発光ダイオード(４)に大きな駆動電流を流して輝度を上げ、基板(３)上に粗に配列された左右端部の発光ダイオード(４)に小さな駆動電流を流して輝度を下げてもよい。この場合は、図１に示すタイミング制御回路(60)はバックライト駆動回路(20)に繋がって、基板(３)上の位置に応じて各発光ダイオード(４)に強弱の差を設けた駆動電流を流す。
また、第２実施例に示すように、基板(３)上に密に配列された上下方向中央部の発光ダイオード(４)に大きな駆動電流を流して輝度を上げ、基板(３)上に粗に配列された上下端部の発光ダイオード(４)に小さな駆動電流を流して輝度を下げてもよい。
【００１１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１２】
【図１】画像表示装置のブロック図である。
【図２】バックライトユニットの正面図である。
【図３】別のバックライトユニットの正面図である。
【図４】従来の冷陰極管を用いたバックライトユニットと、該バックライトユニットに照射される液晶パネルの斜視図である.
【図５】従来の別のバックライトユニットの正面図である。
【図６】従来の別のバックライトユニットの正面図である。
【符号の説明】
【００１３】
(１)  画像表示装置
(２)  バックライトユニット
(３)  基板
(４)  発光ダイオード
(５)  液晶パネル
(20)  バックライト駆動回路
【図１】
2008304502.tif 000003
【図２】
2008304502.tif 000004
【図３】
2008304502.tif 000005
【図４】
2008304502.tif 000006
【図５】
2008304502.tif 000007
【図６】
2008304502.tif 000008